(57)【要約】【課題】優れた耐洗濯性を有し、柔らかい風合いのヒーター部材を有する衣服を提供する。【解決手段】本発明は、少なくとも上半身の胴体を覆う衣服１０であって、衣服１０には、ヒーター部材１が設けられ、ヒーター部材１は、コード２を介してスイッチ部材３及び携帯電源４に連結され、スイッチ部材３により携帯電源４からヒーター部材１への通電が制御されており、ヒーター部材１は、カーボン繊維３３を二枚の生地３１、３２で挟み、接着剤３４で接着した積層体で構成されており、ヒーター部材１における接着領域において、接着剤３４の塗布面積は生地面積の２０％以上８０％以下である衣服に関する。【選択図】図４
2016030875.tif 000002
【特許請求の範囲】
【請求項１】
少なくとも上半身の胴体を覆う衣服であって、前記衣服には、ヒーター部材が設けられ、前記ヒーター部材は、コードを介してスイッチ部材及び携帯電源に連結され、前記スイッチ部材により携帯電源からヒーター部材への通電が制御されており、
前記ヒーター部材は、カーボン繊維を二枚の生地で挟み、接着剤で接着した積層体で構成されており、前記ヒーター部材における接着領域において、接着剤の塗布面積は生地面積の２０％以上８０％以下であることを特徴とする衣服。
【請求項２】
前記コードは、襟ぐりの一部を通り、前身頃中央の前立て部に沿うように配置されている請求項1に記載の衣服。
【請求項３】
前記前立て部にはファスナーが配置され、前記コードはファスナーに沿うように配置されている請求項２に記載の衣服。
【請求項４】
前記前身頃中央の前立て部に沿うように配置されているコードの一部がＳ字状になっている請求項２又は３に記載の衣服。
【請求項５】
前記ヒーター部材は、首元に設けられている請求項１〜４のいずれか１項に記載の衣服。
【請求項６】
前記ヒーター部材は、背中上部、背中下部及び腹部からなる群から選ばれる一つ以上の部位に設けられている請求項１〜５のいずれか１項に衣服。
【請求項７】
前記ヒーター部材が設置されている部位において、衣服本体は吸湿発熱生地で構成されている請求項１〜６のいずれか１項に記載の衣服。
【請求項８】
前記ヒーター部材は、エーテル系接着剤で接着されている請求項１〜７のいずれか１項に記載の衣服。
【発明の詳細な説明】
【技術分野】
【０００１】
本発明は、少なくとも上半身の胴体を覆う衣服に関し、詳細には、ヒーター部材が設けられている衣服に関する。
【背景技術】
【０００２】
従来から、冬期に外で着用する衣服に対し、保温効果を高める検討が行われていた。例えば、特許文献１では、活性炭素繊維布の発熱体を設けた保温ベストが提案されていた。また、特許文献２では、カーボン線からなる発熱ヒータを設けた暖房衣類が提案されていた。
【０００３】
特許文献１では、活性炭素繊維布を発熱体として用いるため、コストが高く、実用性が低かった。また、特許文献２では、カーボン線をそのまま発熱ヒータとして用いるため、洗濯などによりカーボン線の絡まりや断線が起き、異常発熱が生じる恐れがある。
【先行技術文献】
【特許文献】
【０００４】
【特許文献１】実用新案登録第３１０３００５号公報
【特許文献２】特開２００４−６８２２９号公報
【発明の概要】
【発明が解決しようとする課題】
【０００５】
本発明は、上記従来の問題を解決するため、優れた耐洗濯性を有し、柔らかい風合いのヒーター部材を有する衣服を提供する。
【課題を解決するための手段】
【０００６】
本発明は、少なくとも上半身の胴体を覆う衣服であって、上記衣服には、ヒーター部材が設けられ、上記ヒーター部材は、コードを介してスイッチ部材及び携帯電源に連結され、上記スイッチ部材により携帯電源からヒーター部材への通電が制御されており、上記ヒーター部材は、カーボン繊維を二枚の生地で挟み、接着剤で接着した積層体で構成されており、上記ヒーター部材における接着領域において、接着剤の塗布面積は生地面積の２０％以上８０％以下であることを特徴とする衣服に関する。
【０００７】
上記コードは、襟ぐりの一部を通り、前身頃中央の前立て部に沿うように配置されていることが好ましい。上記前立て部にはファスナーが配置され、上記コードはファスナーに沿うように配置されていることが好ましい。上記前身頃中央の前立て部に沿うように配置されているコードの一部がＳ字状になっていることが好ましい。上記ヒーター部材は、首元に設けられていることが好ましい。上記ヒーター部材は、背中上部、背中下部及び腹部からなる群から選ばれる一つ以上の部位に設けられていることが好ましい。上記ヒーター部材が設置されている部位において、衣服本体は吸湿発熱生地で構成されていることが好ましい。上記ヒーター部材において、カーボン繊維と生地はエーテル系接着剤で接着されていることが好ましい。
【発明の効果】
【０００８】
本発明は、ヒーター部材を二枚の生地でカーボン繊維を挟み、接着剤で接着した積層体で構成するとともに、上記ヒーター部材の接着領域において、接着剤の塗布面積を生地面積の２０％以上８０％以下にすることで、耐洗濯性を有し、柔らかい風合いのヒーター部材を有する衣服を提供することができる。
【図面の簡単な説明】
【０００９】
【図１】図１Ａは本発明の一例の衣服の正面図であり、図１Ｂは同背面図である。
【図２】図２は、本発明の一例の衣服の左前身頃を開いた状態を示す立体図である。
【図３】図３は、本発明の一例の衣服の前身頃におけるコードの配置を示す模式図である。
【図４】図４は、本発明の一例の衣服におけるヒーターユニットの配置を説明するパターン図である。
【図５】図５は、本発明の衣服に用いる一例のヒーターユニットの平面模式図である。
【図６】図６Ａ−図６Ｅは、サーモグラフィーカメラで計測したヒーター部材におけるカーボン繊維の発熱状態を示す説明図である。
【図７】図７は、ヒーター部材における接着領域を説明する平面図である。
【発明を実施するための形態】
【００１０】
本発明者らは、ヒーター部材を設ける衣服について鋭意検討した結果、カーボン繊維を二枚の生地で挟み、接着剤で接着した積層体でヒーター部材を構成するとともに、上記ヒーター部材の接着領域における接着剤の塗布面積を生地面積の２０％以上８０％以下にすることで、耐洗濯性を有しつつ、風合いが柔らかくなることを見出し、本発明に至った。
【００１１】
上記衣服のヒーター部材の接着領域において、接着剤の塗布面積は生地面積の２０％以上８０％以下である。上記ヒーター部材の接着領域において、接着剤の塗布面積が生地面積の２０％未満であると、接着強度が低く、耐洗濯性が悪くなる。例えば、洗濯を１０回繰り返すと、ヒーター部材においてカーボン繊維の偏りが発生してしまう。また、上記ヒーター部材の接着領域において、接着剤の塗布面積が生地面積の８０％を超えると、風合いが硬くなってしまい、着用感が悪くなる。耐洗濯性により優れる観点から、接着剤の塗布面積は生地面積の３０％以上であることが好ましく、４０％以上であることがより好ましい。風合いがより柔らかい観点から、接着剤の塗布面積は生地面積の７０％以下であることが好ましい。本発明において、ヒーター部材における「接着領域」とは、カーボン繊維と生地が接着している領域をいい、具体的には、生地に塗布されている接着剤の外周で囲まれている領域をいう。そして、ヒーター部材における接着領域において、「生地面積」は、接着領域の面積をいう。例えば、図７Ａに示しているように、接着剤４２が生地４１の全面に塗布されている場合は、生地４１の全体が、ヒーター部材における「接着領域」となり、「生地面積」は、生地４１の全体面積となる。一方、図７Ｂに示しているように、生地５１において、接着剤５２が塗布されている部位と、接着剤５２が塗布されていない部位がある場合、接着剤５２が塗布されている部位の外周６１で囲まれている領域が接着領域となり、「生地面積」は、接着剤５２が塗布されている部位の外周６１で囲まれている生地部分の面積となる。なお、ヒーター部材における接着領域の面積は、生地の全体面積の１０％以上であればよい。
【００１２】
上記接着剤としては、生地とカーボン繊維を接着できればよく、特に限定されない。例えば、エーテル系接着剤、カーボネート系接着剤などを用いることができる。洗濯、乾燥などを繰り返した場合、加水分解による劣化が抑えられ、強度を保てる観点から、エーテル系接着剤であることが好ましい。
【００１３】
上記接着剤は、均一に塗布されていればよく、塗布形態は特に限定されない。例えば、ドット、格子、ストライプなどのいずれの形態で塗布されてもよい。
【００１４】
上記ヒーター部材は、コードを介してスイッチ部材及び携帯電源に連結され、上記スイッチ部材により携帯電源からヒーター部材への通電が制御されている。ヒーター部材、コード及びスイッチ部材はヒーターユニットを構成する。
【００１５】
上記携帯電源は、携帯できる電源であればよく、特に限定されない。例えば、充電式電池や乾電池などを用いることができ、繰り返し使用可能である観点から、充電式電池を用いることが好ましい。充電式電池としては、例えば、リチウムイオン二次電池などを用いることができる。携帯電源を用いることで、屋外で必要な時にヒーター部材を発熱させることができる。
【００１６】
上記衣服は、少なくとも上半身の胴体を覆うものであればよく、特に限定されない。例えば、中綿入りベスト、中綿入りウォーマー、ダウン入りウォーマー、ウィンドブレーカーなどのいずれの形態でも良い。上記ヒーター部材は、特に限定されないが、首元に設けられていることが好ましい。保温効果が高くなる。また、保温効果をより高める観点から、上記ヒーター部材は、背中上部、背中下部及び腹部からなる群から選ばれる一つ以上の部位に設けられることが好ましい。上記ヒーター部材は、衣服の裏地に取付けられてもよく、中綿やダウンに取り付けられてもよい。取付けは、特に限定されず、例えば、縫い合わせてもよく、貼り付けてもよく、スナップで固定してもよい。
【００１７】
衣服本体やヒーター部材に用いる生地としては、特に限定されず、織物や編物などを用いることができる。伸縮性及び弾性に優れる観点から、織物の方が好ましい。上記織物としては、特に限定されず、一重織り組織でもよく、二重織り組織でもよい。例えば、平織、斜文織、朱子織、変化平織、変化斜文織、変化朱子織、変わり織、紋織、片重ね織、二重組織、多重組織、経パイル織、緯パイル織、絡み織などが挙げられる。上記生地を構成する繊維としては、特に限定されず、例えばポリエチレンテレフタレート、ポリトリメチレンテレフタレート、ポリブチレンテレフタレートなどのポリエステル繊維、ポリウレタン繊維、ポリアミド繊維、アセテート繊維、コットン繊維、レーヨン繊維、エチレンビニルアルコール繊維、ナイロン繊維などを用いることができる。上記生地は、特に限定されないが、例えば、目付けが５０〜３５０ｇ／ｍ２の範囲が好ましく、より好ましくは６０〜３００ｇ／ｍ２の範囲、さらに好ましくは８０〜２８０ｇ／ｍ２の範囲である。目付が上記の範囲であれば、耐久性も良く、軽くて動きやすい利点がある。
【００１８】
上記ヒーター部材が設置されている部位において、衣服本体は吸湿発熱生地で構成されていることが好ましい。上記ヒーター部材の発熱によって吸湿発熱生地の放湿を促す事で、吸湿作用が高まり、生地の発熱性が向上するという相乗効果で、より保温効果が高まる。上記吸湿発熱生地としては、汗などの水分を吸収して発熱する吸湿発熱繊維を含む生地であればよく、特に限定されない。上記吸湿発熱繊維としては、特に限定されないが、例えば、アクリル繊維やレーヨン繊維などを改質した繊維などが挙げられる。具体的には、美津濃社製の「ブレスサーモ（登録商標）」、東洋紡社製の「エクス（登録商標）」、旭化成社製の「ベンベルグ（登録商標）」などを用いることができる。
【００１９】
上記コードは、襟ぐりの一部を通り、前身頃中央の前立て部に沿うように配置されていることが好ましい。これにより、着用時に配線による圧迫感や動きにくさがなくなる。上記コードを、襟ぐりの一部を通り、前身頃中央の前立て部に沿うように配置する手段は、特に限定されない。例えば、コードと衣服本体の間に固定部を設けることなどが挙げられる。固定する際、本体とコードが動くくらいのゆとりがある方が良い。固定に用いる資材は、ストレッチ性がある物の方が良い。上記コードが襟ぐりの一部を通るように配置されることにより、ザックなどの鞄を背負った際、配線の凸による体への圧迫を抑えることができ、コードの断線も防ぐことができる。また、コードを前身頃中央の前立て部に沿うように配置することにより、コードの折れ曲がりを防ぐことができる。上記前立て部にはファスナーが配置され、コードがファスナーに沿って配置されていることがより好ましい。ファスナーにより前立て部の剛性が高くなり、より効果的にコードの折れ曲がりを防ぐことができる。
【００２０】
上記コードの一部はＳ字状になっていることが好ましく、前身頃中央の前立て部に沿うように配置されているコードの一部がＳ字状になっていることがより好ましい。コードの一部をＳ字状にすることで、洗濯時や着用時にコードが引っ張られても、ゆとりができる。また、ヒーター部材やスイッチ部材などとの接触部に負荷がかからない。さらに、サイズグレーディングをしても、Ｓ字の大きさを変えることで対応することができ、衣服のサイズごとにヒーター部材やコードの配線を変更しなくてもよい。特に携帯電源と接続する部位から５０ｃｍ以内の位置においてコードの一部がＳ字状になるように配置されていることが好ましい。携帯電源と接続する部位が引張られ、外力がかかることを緩和することができる。コードの一部をＳ字状になるように配置する手段は、特に限定されず、コードの一部がＳ字になっていればよく、どのような固定方法であってもよい。好ましくは、Ｓ字の向きが変わる変異点を衣服本体と固定する。固定する際、本体とコードが動くくらいのゆとりがある方が良い。固定に用いる資材は、ストレッチ性がある物の方が良い。例えば、ポリウレタンを含んだ資材や加工糸、ポリトリメチレンテレフタレート（ＰＴＴ）糸、ポリブチレンテレフタレート（ＰＢＴ）糸を含んだ資材などが好ましい。
【００２１】
以下、本発明の一実施形態の衣服を図面に基づいて説明する。図１Ａは本発明の一例の衣服（中綿ベスト）の正面図であり、図１Ｂは同背面図である。図１Ａ〜図１Ｂに示しているように、衣服１０には、ヒーター部材１が設けられている。ヒーター部材１は、首元に配置されているヒーター部材１ａと背中上部に配置されているヒーター部材１ｂを含む。図示はないが、衣服１０は、内層生地、中綿、外層生地で構成されている。図２は同衣服の左前身頃を開いた状態を示す立体図である。図２に示しているように、衣服１０の左前身頃の内側にはポケット６が設けられており、ポケット６には携帯電源４が収納されている。図３は同衣服の前身頃におけるコードの配置を示す模式図である。図３に示しているように、コード２は左襟ぐりを通り、ファスナー７に沿うように前立て部に配置されている。図３では、説明のため、衣服１０の表面上にコード２が配置されているが、実際、コード２は、衣服１０の内層生地と中綿の間に配置されている。
【００２２】
図４は衣服におけるヒーターユニット（ヒーター部材、コード、スイッチ部材で構成されている）及び携帯電源の配置を説明する展開パターン図である。図４では、衣服の後身頃の内層生地並びに左前身頃の外層生地及び内層生地を展開しており、中綿は省略している。図４に示しているように、ヒーター部材１（ヒーター部材１ａ及びヒーター部材１ｂ）は、コード２を介してスイッチ部材３及び携帯電源４に連結されている。コード２は、左襟ぐりを通り、左前立て部に沿うように配置され、左襟ぐり固定部１１、左胸部固定部１２、左胸部固定部１３により衣服本体（内層生地又は中綿）に固定されている。コード２をこのように配置することにより、ザックなどの鞄を背負った際、配線の凸による体への圧迫を抑えることができ、コードの折れ曲がりや断線も防ぐことができる。また、コード２は、腹部あたりでＳ字状になっている。該実施形態では、Ｓ字の向きが変わる変異点に、固定部１４及び１５を設け、衣服本体に固定している。なお、Ｓ字になっていればよく、どのような固定方法であってもよい。コード２を腹部あたりでＳ字状にすることで、洗濯時や着用時にコードが引っ張られても、ゆとりができる。また、ヒーター部材やスイッチ部材などとの接触部に負荷がかからない。スイッチ部材３は、左胸部に配置されており、コード２を介してヒーター部材１と連結されている。スイッチ部材３において、コード２と連結されているスイッチ本体３ｂは衣服１０の内層生地上に設けられており、スイッチカバー３ａは衣服１０の外層生地の表面上に設けられている。携帯電源４は、衣服１０の左前身頃の内側に設けられているポケット６に収納されている。見栄えもよくなり収納性も良好である。スイッチ部材３により携帯電源４からヒーター部材１への通電が制御される。保温が必要な場合、コード２を接続端子２１により携帯電源４に連結した後、スイッチ部材３によりヒーター部材１へ通電することで、ヒーター部材１を発熱させる。本実施形態では、コードを、左襟ぐりを通り、前身頃中央の右前立て部に沿うように配置しているが、右襟ぐりを通り、前身頃中央の右前立て部に沿うように配置してもよい。
【００２３】
図５は、本発明の衣服で用いる一例のヒーターユニットの平面模式図である。ヒーターユニット５は、ヒーター部材１（ヒーター部材１ａとヒーター部材１ｂ）、コード２、スイッチ部材３で構成されている。ヒーター部材１（ヒーター部材１ａとヒーター部材１ｂ）は、コード２を介してスイッチ部材３と連結されている。ヒーター部材１ａは、二枚の生地３１、３２でカーボン繊維３３を挟み、接着剤３４で接着した積層体で構成されている。接着剤３４は、生地３２上にドット状に均一に塗布されている。図示はないが、ヒーター部材１ｂも、二枚の生地でカーボン繊維を挟み、ドット状に均一に塗布されている接着剤で接着した積層体で構成されている。カーボン繊維は、洗濯のもみ影響によるカーボン繊維のからみつきや断線の抑制や、生産時の効率向上の観点から、合成樹脂フィルムなどにより被覆されていることが好ましい。ヒーター部材１の接着領域において、接着剤３４の塗布面積は、生地面積の２０％以上８０％以下である。
【実施例】
【００２４】
以下実施例を用いて本発明をさらに具体的に説明する。なお、本発明は下記の実施例に限定されるものではない。
【００２５】
（実施例１）
生地（ポリエステル綿混織物）の表面の全体にエーテル系接着剤をトッド状に均一に塗布し、その上にカーボン繊維（帝人社製カーボン繊維）を配置し、さらにその上に生地（ポリエステル綿混織物）を配置し、接着して得られた積層体でヒーター部材を構成した。ヒーター部材の接着領域において、接着剤の塗布面積は生地面積の４０％であった。得られたヒーター部材を用いた以外は、通常の方法により、図５に示すようなヒーター部材１（１ａ、１ｂ）、コード２及びスイッチ部材３からなるヒーターユニット５を作製した。得られたヒーターユニット５を用い、図４に示すようにヒーターユニット５を配置し、図１〜３に示す衣服（中綿ベスト）１０を作製した。中綿ベストは、ヒーターユニットを配置した部位では、肌面から順番に、ポリエステル織物（５０ｇ／ｍ２）、ヒーターユニット、ポリエステル中綿（１００ｇ／ｍ２）、ポリエステル織物（５０ｇ／ｍ２）という構成にし、その他の部位では、肌面から順番に、ポリエステル織物（５０ｇ／ｍ２）、ポリエステル中綿（１００ｇ／ｍ２）、ポリエステル織物（５０ｇ／ｍ２）という構成にした。
【００２６】
（実施例２）
ヒーター部材の接着領域における接着剤の塗布面積を生地面積の３０％にした以外は、実施例１と同様にしてヒーターユニットを作製した。得られたヒーターユニットを用い、実施例１と同様にして、中綿ベストを作製した。
【００２７】
（実施例３）
ヒーター部材の接着領域における接着剤の塗布面積を生地面積の２０％にした以外は、実施例１と同様にしてヒーターユニットを作製した。得られたヒーターユニットを用い、実施例１と同様にして、中綿ベストを作製した。
【００２８】
（比較例１）
ヒーター部材の接着領域における接着剤の塗布面積を生地面積の１０％にした以外は、実施例１と同様にしてヒーターユニットを作製した。得られたヒーターユニットを用い、実施例１と同様にして、中綿ベストを作製した。
【００２９】
（比較例２）
接着剤を塗布していない以外は、実施例１と同様にしてヒーターユニットを作製した。得られたヒーターユニットを用い、実施例１と同様にして、中綿ベストを作製した。
【００３０】
実施例１〜３及び比較例１〜２におけるヒーターユニットの耐洗濯性を下記のように評価した。
【００３１】
（耐洗濯性）
ヒーターユニットを洗濯用ネットに入れて洗濯を１０回繰り返した。洗濯方法はＪＩＳ  Ｌ０２１７  １０３法に準じた。洗濯後、乾かしたヒーターユニットを温度３０℃、相対湿度４０％の環境に設置し、電源とつなげた後、ヒーター部材を加熱させてその様子をサーモグラフィーカメラで計測した。
【００３２】
図６Ａ〜図６Ｅは、それぞれ、サーモグラフィーカメラで計測した実施例１〜３及び比較例１〜２のヒーター部材におけるカーボン繊維の発熱状態を示した説明図である。
【００３３】
図６Ａ〜図６Ｃから分かるように、実施例１〜３で用いたヒーター部材におけるカーボン繊維は均等に発熱しており、接着剤の塗布面積が生地面積の２０％以上のヒーター部材は、耐洗濯性に優れることが確認された。耐洗濯性に優れたヒーター部材を用いた実施例１〜３の衣服も耐洗濯性に優れることになる。一方、比較例１〜２のヒーター部材におけるカーボン繊維は偏っている部位があり、部分的に温度が上昇していた。接着剤の塗布面積が生地面積の２０％未満の比較例１〜２のヒーター部材は、耐洗濯性が悪かった。
【００３４】
（実施例４）
ヒーター部材の接着領域における接着剤の塗布面積を生地面積の７０％にした以外は、実施例１と同様にしてヒーターユニットを作製した。得られたヒーターユニットを用い、実施例１と同様にして、中綿ベストを作製した。
【００３５】
（実施例５）
ヒーター部材の接着領域における接着剤の塗布面積を生地面積の８０％にした以外は、実施例１と同様にしてヒーターユニットを作製した。得られたヒーターユニットを用い、実施例１と同様にして、中綿ベストを作製した。
【００３６】
（比較例３）
ヒーター部材の接着領域における接着剤の塗布面積を生地面積の９０％にした以外は、実施例１と同様にしてヒーターユニットを作製した。得られたヒーターユニットを用い、実施例１と同様にして、中綿ベストを作製した。
【００３７】
実施例４〜５及び比較例３の中綿ベストを着用し、ヒーター部材が配置されている首部及び背部の風合いを下記のような４段階で評価し、その結果を下記表１に示した。被験者は健康な成人男性被験者１０名とした。
【００３８】
【表１】
2016030875.tif 000003
【００３９】
上記表１の結果から分かるように、実施例４又は実施例５の衣服を着用した場合、全ての被験者が柔らか又はいかなり柔らかいと感じていた。一方、比較例３の衣服を着用した場合、９名の被験者が硬い又はかなり硬いと感じていた。接着剤の塗布面積が生地面積の８０％以下のヒーター部材を用いた実施例４〜５の衣服は、柔らかい風合いを有するが、接着剤の塗布面積が生地面積の８０％を超えるヒーター部材を用いた比較例３の衣服は、風合いが硬いことが確認された。
【００４０】
（実施例６）
前身頃にコードを配置する際、左襟ぐり固定部１１、左胸部固定部１２、左胸部固定部１３をなくし、腹部あたりでＳ字状にしなかった以外は、実施例１と同様にして、中綿ベストを作製した。
【００４１】
実施例１及び実施例６の衣服を着用した際の衣服圧を下記のように評価し、その結果を下記表２に示した。
【００４２】
（衣服圧評価）
鎖骨の中心から下方５ｃｍの箇所に衣服圧センサーを設置した上で、中綿ベストを着用し、軽登山用ザックを背負った状態で計測を行った。
【００４３】
【表２】
2016030875.tif 000004
【００４４】
前身頃にコードを配置する際、左襟ぐり固定部１１、左胸部固定部１２、左胸部固定部１３を設けるとともに、腹部あたりでＳ字状にした実施例１の中綿ベストを着用した場合、前身頃にコードを配置する際、左襟ぐり固定部１１、左胸部固定部１２、左胸部固定部１３をなくすとともに、腹部あたりでＳ字状にしなかった実施例６の中綿ベストより、衣服圧が低かった。コード２を、襟ぐりの一部を通り、前身頃中央の前立て部に沿うように配置することで、着用時に配線による圧迫感や動きにくさがなくなることが分かった。
【符号の説明】
【００４５】
１、１ａ、１ｂ  ヒーター部材
２  コード
３  スイッチ部材
３ａ  スイッチカバー３ａ
３ｂ  スイッチ本体３ｂ
４  携帯電源
５  ヒーターユニット
６  ポケット
７  ファスナー
１０  衣服
１１、１２、１３  固定部
２１  接続端子
３１、３２、４１、５１  生地
３３  カーボン繊維
３４、４２、５２  接着剤
６１  接着剤が塗布されている部位の外周
【図１】
2016030875.tif 000005
【図２】
2016030875.tif 000006
【図３】
2016030875.tif 000007
【図４】
2016030875.tif 000008
【図５】
2016030875.tif 000009
【図６】
2016030875.tif 000010
【図７】
2016030875.tif 000011